(57)【要約】【課題】ラックのマウントアングルのネジ穴の位置に関する制約を受けずに、コンセントバーをラックに固定可能な固定治具を提供する。【解決手段】ラックにコンセントバーを固定するための固定治具であって、固定治具の一端に設けられ、コンセントバーのプラグを差し込む面以外のいずれかの面に対して面内の任意の位置に固定治具本体を固定可能にする固定機能部と、固定治具の他の一端に設けられ、ラックのマウントアングルに固定治具本体をネジ止めするためのネジ穴と、を有することを特徴する。【選択図】図１
2015162335.tif 000002
【特許請求の範囲】
【請求項１】
ラックにコンセントバーを固定するための固定治具であって、
前記固定治具の一端に設けられ、前記コンセントバーのプラグを差し込む面以外のいずれかの面に対して面内の任意の位置に固定治具本体を固定可能にする固定機能部と、
前記固定治具の他の一端に設けられ、前記ラックのマウントアングルに固定治具本体をネジ止めするためのネジ穴と、
を有することを特徴する固定治具。
【請求項２】
請求項１記載の固定治具において、
前記固定機能部が磁石であり、
前記コンセントバーに対する前記固定機能部の磁力により、前記コンセントバーが前記固定治具本体に固定されることを特徴とする固定治具。
【請求項３】
請求項１記載の固定治具において、
前記固定機能部が面ファスナーであり、
前記コンセントバーに設けられた面ファスナーと前記固定機能部との結合力により、前記コンセントバーが前記固定治具本体に固定されることを特徴とする固定治具。
【請求項４】
請求項１〜３のいずれか１項に記載の固定治具において、
前記固定治具が可とう性を有することを特徴とする固定治具。
【発明の詳細な説明】
【技術分野】
【０００１】
本発明は、ラックのマウントアングルのネジ穴を使用して、コンセントバーをラックに固定するための治具に関するものである。
【背景技術】
【０００２】
近年、クラウドサービスの発展により、データセンタに設置するＩＣＴ（Information and Communication Technology）装置の数が増加している。サーバ室の限られたスペースにより多くのＩＣＴ装置を設置するために、床面に対して垂直方向に複数のＩＣＴ装置を積み重ねるように収納可能にしたラックが用いられている。
【０００３】
図６はＩＣＴ装置のラックへの固定方法を説明するための図である。図６はラックを背面側から見た外観図である。
【０００４】
図６に示すように、ラック６０には、床面に対して垂直方向に伸びるマウントアングル２５が設けられている。マウントアングル２５には、ＩＣＴ装置５０をネジ２０で固定するためのネジ穴２３が一定の間隔で設けられている。図６は、ＩＣＴ装置５０を背面側の２箇所で固定するためにマウントアングル２５が２つ設けられている場合を示しているが、ＩＣＴ装置５０の正面側にもマウントアングルが設けられており、正面側のマウントアングルを図に示すことを省略していている。
【０００５】
ラック６０の背面の左右に設置されたマウントアングル２５にＩＣＴ装置５０を固定する際、ＩＣＴ装置５０の背面に予め固着された固定金具４０のネジ穴をマウントアングル２５のネジ穴２３に一致させ、固定金具４０をネジ２０とナット（不図示）で固定する。なお、固定金具４０は、ＩＣＴ装置５０に予め固着されておらず、ＩＣＴ装置５０の出荷時にＩＣＴ装置５０の付属品として添付されていてもよい。
【０００６】
ＩＣＴ装置５０に電力を供給するためのコンセントバーをラックに固定する方法が特許文献１に開示されている。特許文献１に開示された方法では、コンセントバーの両端にネジ穴が予め設けられており、両端のネジ穴をマウントアングル２５のネジ穴２３に一致させてネジ止めすることで、コンセントバーをマウントアングル２５に固定している。
【先行技術文献】
【特許文献】
【０００７】
【特許文献１】特開２０１０−９７８７５号公報
【発明の概要】
【発明が解決しようとする課題】
【０００８】
従来技術のように、コンセントバーの両端のネジ穴をマウントアングルのネジ穴に一致させてコンセントバーをラックにネジ止めする方法では、コンセントバーのネジ穴の位置に対応する場所にある、マウントアングルのネジ穴がＩＣＴ装置の固定などで既に使用されている場合、コンセントバーを所望の位置に固定することができないという問題がある。
【０００９】
本発明は上述したような技術が有する問題点を解決するためになされたものであり、マウントアングルのネジ穴の位置に関する制約を受けずに、コンセントバーをラックに固定可能な固定治具を提供することを目的とする。
【課題を解決するための手段】
【００１０】
上記目的を達成するための本発明の固定治具は、ラックにコンセントバーを固定するための固定治具であって、
前記固定治具の一端に設けられ、前記コンセントバーのプラグを差し込む面以外のいずれかの面に対して面内の任意の位置に固定治具本体を固定可能にする固定機能部と、
前記固定治具の他の一端に設けられ、前記ラックのマウントアングルに固定治具本体をネジ止めするためのネジ穴と、
を有する。
【発明の効果】
【００１１】
本発明によれば、マウントアングルのネジ穴の位置に関する制約を受けずに、コンセントバーをラックに固定することができる。
【図面の簡単な説明】
【００１２】
【図１】実施例１の固定治具の一構成例を示す外観図である。
【図２】実施例２におけるコンセントバーの構成を説明するための外観透視図である。
【図３】実施例２の固定治具の一構成例を示す外観図である。
【図４】実施例３の固定治具の一構成例を示す外観図である。
【図５】実施例４の固定治具の一構成例を示す外観図である。
【図６】ＩＣＴ装置のラックへの固定方法を説明するための図である。
【発明を実施するための形態】
【００１３】
本実施形態の固定治具は、ラックにコンセントバーを固定するための治具であって、コンセントバーの、プラグを差し込む面以外のいずれかの面に対して面内の任意の位置に固定治具本体を固定可能にする固定機能部が一端に設けられ、ラックのマウントアングルに固定治具本体をネジ止めするためのネジ穴が他の一端に設けられた構成である。
【００１４】
上記の構成によれば、マウントアングルのネジ穴のうち、使用されていないネジ穴に固定治具の一方の端を固定せざるを得なくても、固定治具の他方の端を、コンセントバーの、プラグを差し込む面以外のいずれかの面の任意の位置に固定することが可能である。そのため、マウントアングルのネジ穴の位置に関する制約を受けずに、コンセントバーをラックに固定することができる。
【００１５】
以下に、本実施形態の固定治具の実施例を説明する。なお、ラックおよびマウントアングルについては、図６を参照して説明した構成と同様なため、以下の実施例では、その詳細な説明を省略する。
【実施例１】
【００１６】
本実施例の固定治具の構成を説明する。図１は本実施例の固定治具の一構成例を示す外観図である。
【００１７】
図１に示すように、固定治具１０は、長方形の板部材の一端に上記の固定機能部となる磁石１３が設けられ、他の一端にネジ穴１２が設けられている。本実施例は、固定治具１０を２つ用いた場合である。
【００１８】
コンセントバー３０は電力変換機能を備えた変換器内蔵型コンセントバーである。本実施例では、コンセントバー３０の筺体は磁石がくっつく磁性体の材料で構成されている。コンセントバー３０の筺体の６つ面のうち、図１に示すドットパターンの面３１は、ＩＣＴ装置のプラグを差し込む面以外の面の１つである。
【００１９】
次に、本実施例の固定治具１０を用いてコンセントバー３０を固定する方法を説明する。
【００２０】
マウントアングル２５において、使用されていないネジ穴２３の１つの位置に固定治具１０のネジ穴１２の位置を合わせ、ネジ２０とナット（不図示）で固定治具１０をマウントアングル２５にネジ止めする。続いて、もう１つの固定治具１０も、上記のようにマウントアングル２５にネジ止めする。図１の構成例では、上側の固定治具１０と下側の固定治具１０とがネジ穴２３の数で４つ分空けてマウントアングル２５に固定された状態を示す。続いて、コンセントバー３０の筺体の面３１を２つの固定治具１０の磁石１３の部分に接触させる。これにより、コンセントバー３０の筺体に対する、磁石１３の磁力により、コンセントバー３０が固定治具１０に固定される。
【００２１】
図１に示す構成例では、直方体形状のコンセントバー３０がその長手方向がマウントアングル２５の長手方向と平行になるように固定されている。なお、コンセントバーを１つの固定治具で固定することも可能だが、図１に示すように、直方体形状のコンセントバーを少なくとも２箇所で固定すれば、より安定して固定させることが可能となる。
【００２２】
本実施例では、上述のようにして、固定治具がマウントアングルにネジ止めされ、コンセントバーが磁力で固定治具に固定されるため、コンセントバーが固定治具を介してマウントアングルに固定される。
【実施例２】
【００２３】
実施例１では、コンセントバーの筺体が磁石のくっつく材料の場合で説明したが、本実施例は、コンセントバーの筺体が磁石のくっつかない材料の場合である。
【００２４】
本実施例の構成を説明する。図２は本実施例におけるコンセントバーの構成を説明するための外観透視図である。なお、図２は透視図であるが、コンセントバーの内部構成を図に示すことを省略している。
【００２５】
本実施例のコンセントバー３０も、実施例１と同様に変換器内蔵型コンセントバーであるが、コンセントバー３０の筺体は磁石がくっつかない非磁性体の材料で構成されている。本実施例では、コンセントバー３０の面３１の一面に、図２に示すように、面ファスナー１５ａが貼り付けられている。なお、面３１は、実施例１と同様に、ＩＣＴ装置のプラグを差し込む面以外の面の１つである。
【００２６】
次に、本実施例の固定治具の構成を説明する。図３は本実施例の固定治具の一構成例を示す外観図である。
【００２７】
図３に示すように、固定治具１０は、長方形の板部材の一端に上記の固定機能部となる面ファスナー１５ｂが設けられ、他の一端にネジ穴１２が設けられている。本実施例は、固定治具１０を２つ用いた場合である。
【００２８】
本実施例における面ファスナー１５ａ、１５ｂは、フック状およびループ状の２種類の起毛のうち、互いに異なる種類の起毛が設けられている。例えば、面ファスナー１５ａにフック状の起毛が設けられている場合、面ファスナー１５ｂにループ状の起毛が設けられている。なお、面ファスナー１５ａ、１５ｂは、それぞれに上記２種類の起毛が設けられているタイプであってもよい。
【００２９】
次に、本実施例の固定治具１０を用いてコンセントバー３０を固定する方法を説明する。
【００３０】
マウントアングル２５において、使用されていないネジ穴２３の１つの位置に固定治具１０のネジ穴１２の位置を合わせ、ネジ２０とナット（不図示）で固定治具１０をマウントアングル２５にネジ止めする。続いて、もう１つの固定治具１０も、上記のようにマウントアングル２５にネジ止めする。図３の構成例では、上側の固定治具１０と下側の固定治具１０とがネジ穴２３の数で４つ分空けてマウントアングル２５に固定された状態を示す。続いて、コンセントバー３０の筺体の面３１を２つの固定治具１０の面ファスナー１５ｂに押し当てる。これにより、コンセントバー３０の面ファスナー１５ａと固定治具１０の面ファスナー１５ｂとの結合力により、コンセントバー３０が固定治具１０に固定される。
【００３１】
コンセントバーの筺体が磁石のくっつかない非磁性体の材料で構成される場合でも、本実施例では、上述のようにして、固定治具がマウントアングルにネジ止めされ、コンセントバーが面ファスナーの結合力で固定治具に固定されるため、コンセントバーが固定治具を介してマウントアングルに固定される。
【００３２】
また、実施例１のように、コンセントバーの筺体が磁石のくっつく磁性体の材料で構成されていても、磁石の磁界が周囲の機器に誤動作を及ぼすなど磁石を使用することができない状況が考えられる。このような状況では、本実施例のように、固定機能部として面ファスナーを固定治具に設け、コンセントバーの筺体に面ファスナーを設け、コンセントバーをラックに固定すればよい。
【実施例３】
【００３３】
本実施例は、実施例１で説明した固定治具の数が実施例１とは異なる場合である。本実施例の構成を説明する。図４は本実施例の固定治具の一構成例を示す外観図である。
【００３４】
図４に示すように、本実施例では、実施例１で説明した固定治具１０を４つ用いて、コンセントバー３０をマウントアングル２５に固定している。本実施例では、コンセントバー３０の質量に対応して、固定治具１０の数を実施例１の「２つ」から「４つ」にして固定強度を大きくしている。固定治具１０の数を増やしても、図４に示すように、隣り合う固定治具１０の間隔を一定にする必要がなく、使用されていないネジ穴２３を任意に選択することが可能である。
【００３５】
本実施例のように、コンセントバーの質量に対応して、使用する固定治具の数を適宜選択することで、コンセントバーの質量を固定するのに必要な強度を得ることができる。また、コンセントバーの質量とは無関係に固定治具の数を増やしてもよく、この場合、コンセントバーをより安全に固定するための強度を得ることができる。
【実施例４】
【００３６】
本実施例は、実施例１で説明した固定治具の形状を、コンセントバーの設置場所の制約に応じて可変にした場合である。
【００３７】
本実施例の固定治具の構成を説明する。図５は本実施例の固定治具の一構成例を示す外観図である。
【００３８】
本実施例では、図１に示した固定治具１０の長方形の板部材が可とう性のある材料で構成されている。図５に示すようにラック内に障害物７０が置かれている場合、コンセントバー３０が障害物７０を避けるように配置されても、コンセントバー３０の面３１と磁石１３の面が平行に接触し、かつ、ネジ穴１２の位置がネジ穴２３の位置と一致するように、固定治具１０が元の形状の長手方向を基準に２箇所で９０度曲げられている。
【００３９】
コンセントバーを設置したい場所に障害物があるなどの制約があっても、本実施例のようにして、固定治具の形状を変えることで、障害物を避けた位置にコンセントバーを配置してマウントアングルに固定することが可能となる。また、障害物があるか否かが事前に不明である場合には、現場で、障害物の位置とコンセントバーの大きさに合わせて固定治具の形状を変えて、コンセントバーをマウントアングルに固定してもよい。
【００４０】
また、マウントアングルにおいて、固定治具を固定したい位置にネジ穴がない場合やたとえネジ穴があっても使用されている場合、固定治具の長さの範囲で固定治具の形状を変えてネジ穴をマウントアングルの未使用のネジ穴に一致させることで、固定治具をマウントアングルに固定することができる。
【００４１】
なお、実施例３および４では、固定機能部およびコンセントバーが実施例１の場合で説明したが、固定機能部およびコンセントバーが実施例２の場合であってもよい。また、実施例３および４では、固定治具の数や形状が実施例１または２と異なるだけなので、コンセントバーの固定方法に関する説明を省略する。
【００４２】
これまで、実施例を挙げて詳細に説明したように、本実施形態の固定治具においては、治具の一端が、コンセントバーのプラグを差し込む面以外のいずれかの面に対して、面内の任意の位置に固定可能となるような、磁石や面ファスナー等を用いた固定機能を有し、治具の他端にはマウントアングルにネジ止めするためのネジ穴が配置されている。
【００４３】
これにより、コンセントバーを固定するために使用するマウントアングルのネジ穴として、コンセントバーの長手方向の長さ範囲に相当するマウントアングルの長さ範囲内の任意のネジ穴を使用することが可能となり、ラックに収容されているＩＣＴ機器等の配置に制約されることなく、コンセントバーをラックの所望の位置に固定することができる。
【００４４】
また、上記の実施例では、コンセントバーは磁石による磁力または面ファスナーによる結合力で固定治具と固定されるが、固定治具はマウントアングルとネジ止めで固定されている。磁石や面ファスナーに比べて固定力の強い「ネジ止め」によって固定治具をマウントアングルに固定しているため、固定治具とマウントアングルとの接触面積を極力小さくすることができる。
【符号の説明】
【００４５】
１０    固定治具
１２    ネジ穴
１３    磁石
１５ａ、１５ｂ    面ファスナー
【図１】
2015162335.tif 000003
【図２】
2015162335.tif 000004
【図３】
2015162335.tif 000005
【図４】
2015162335.tif 000006
【図５】
2015162335.tif 000007
【図６】
2015162335.tif 000008